(57)【要約】  本出願は、充電装置のテストシステム及び方法を提供し、充電装置のテストシステムは、スイッチングトランジスタと制御モジュールとを有する充電装置と、前記スイッチングトランジスタの制御電極に接続され、前記スイッチングトランジスタの第１端と第２端との間の電圧が予め設定された電圧保護値より大きくなるように、前記スイッチングトランジスタの制御電極に電圧信号を出力するための電源モジュールと、を含む。前記制御モジュールは、前記スイッチングトランジスタの第１端と第２端との間の電圧が予め設定された電圧保護値より大きい場合に前記充電装置が保護状態に進入したか否かを確認して、前記充電装置の異常な電圧降下に対する保護機能をテストすることによって、充電装置の異常な電圧降下に対する保護機能が正常であるか否かを効率的にテストすることができ、充電装置の安全性及び安定性を確保し、異常な電圧降下に対する保護機能の問題によって充電装置のアフターセールスの問題が発生することを回避し、充電装置の品質を確保する。
2021502043.tif 000002
【特許請求の範囲】
【請求項１】
充電装置のテストシステムであって、
スイッチングトランジスタと制御モジュールとを内部に有する充電装置と、
前記スイッチングトランジスタの制御電極に接続され、前記スイッチングトランジスタの第１端と第２端との間の電圧が予め設定された電圧保護値より大きくなるように、前記スイッチングトランジスタの制御電極に電圧信号を出力する電源モジュールと、を含み、
前記制御モジュールは、前記スイッチングトランジスタの第１端と第２端との間の電圧が予め設定された電圧保護値より大きい場合に、前記充電装置が保護状態に進入したか否かを確認して、前記充電装置の異常な電圧降下に対する保護機能をテストする、
ことを特徴とする充電装置のテストシステム。
【請求項２】
前記充電装置は、さらに、充電インターフェースを有し、前記充電インターフェースは、負荷モジュールに接続され、前記スイッチングトランジスタの第１端又は第２端は、前記充電インターフェースを介して前記負荷モジュールに接続される、
ことを特徴とする請求項１に記載の充電装置のテストシステム。
【請求項３】
前記負荷モジュールは定電流負荷である、
ことを特徴とする請求項２に記載の充電装置のテストシステム。
【請求項４】
前記スイッチングトランジスタは、前記電源モジュールによって出力された電圧信号の電圧値を徐々に低下させるＮ型スイッチングトランジスタである、
ことを特徴とする請求項１に記載の充電装置のテストシステム。
【請求項５】
前記スイッチングトランジスタは、前記電源モジュールによって出力された電圧信号の電圧値を徐々に増加させるＰ型スイッチングトランジスタである、
ことを特徴とする請求項１に記載の充電装置のテストシステム。
【請求項６】
前記スイッチングトランジスタはＭＯＳトランジスタ又は三極管である、
ことを特徴とする請求項１〜５のいずれかに記載の充電装置のテストシステム。
【請求項７】
前記充電装置のテストシステムは、
前記スイッチングトランジスタの第１端と第２端とに接続され、前記スイッチングトランジスタの第１端と第２端との間の電圧を測定して、前記スイッチングトランジスタの第１端と第２端との間の電圧が前記予め設定された電圧保護値に達した時に、前記電源モジュールによって出力された電圧信号の電圧値を調整することを停止する電圧測定装置をさらに含む、
ことを特徴とする請求項４又は５に記載の充電装置のテストシステム。
【請求項８】
前記電圧測定装置はマルチメータである、
ことを特徴とする請求項７に記載の充電装置のテストシステム。
【請求項９】
前記制御モジュールは、電圧検出ユニットによって前記スイッチングトランジスタの第１端と第２端との間の電圧を検出し、前記充電装置の異常な電圧降下に対する保護機能が正常であり、且つ前記スイッチングトランジスタの第１端と第２端との間の電圧が前記予め設定された電圧保護値より大きい場合、前記充電装置を保護状態に入るように制御する、
ことを特徴とする請求項１に記載の充電装置のテストシステム。
【請求項１０】
前記電源モジュールは直流電源であり、
前記直流電源は、正極が前記スイッチングトランジスタの制御電極に接続され、負極が接地される、
ことを特徴とする請求項１に記載の充電装置のテストシステム。
【請求項１１】
前記充電インターフェースは、正の電源線と負の電源線とを有し、前記正の電源線は、前記充電装置の充電回路の正の出力端に接続され、前記負の電源線は、前記充電装置の充電回路の負の出力端に接続され、前記スイッチングトランジスタは、前記正の電源線又は前記負の電源線に直列接続される、
ことを特徴とする請求項１に記載の充電装置のテストシステム。
【請求項１２】
前記充電装置のテストシステムは、
前記制御モジュールに接続され、前記制御モジュールの制御により前記異常な電圧降下に対する保護機能のテスト結果又は前記充電装置の保護状態に対して提示する提示モジュールをさらに含む、
ことを特徴とする請求項１に記載の充電装置のテストシステム。
【請求項１３】
前記提示モジュールは、前記充電装置に集積して設けられる、
ことを特徴とする請求項１２に記載の充電装置のテストシステム。
【請求項１４】
充電装置のテスト方法であって、
スイッチングトランジスタの第１端と第２端との間の電圧が予め設定された電圧保護値より大きくなるように、電源モジュールによって前記充電装置内の前記スイッチングトランジスタの制御電極に電圧信号を出力するステップと、
前記スイッチングトランジスタの第１端と第２端との間の電圧が予め設定された電圧保護値より大きい場合に、前記充電装置の作動状態を確認して、前記充電装置の異常な電圧降下に対する保護機能をテストするステップと、を含む、
ことを特徴とする充電装置のテスト方法。
【請求項１５】
前記スイッチングモジュールの第１端又は第２端は、前記充電装置の充電インターフェースを介して負荷モジュールに接続され、前記負荷モジュールは定電流負荷である、
ことを特徴とする請求項１４に記載の充電装置のテスト方法。
【請求項１６】
前記スイッチングトランジスタは、前記電源モジュールによって出力された電圧信号の電圧値を徐々に低下させるＮ型スイッチングトランジスタである、
ことを特徴とする請求項１４に記載の充電装置のテスト方法。
【請求項１７】
前記スイッチングトランジスタは、前記電源モジュールによって出力された電圧信号の電圧値を徐々に増加させるＰ型スイッチングトランジスタである、
ことを特徴とする請求項１４に記載の充電装置のテスト方法。
【請求項１８】
電圧測定装置によって前記スイッチングトランジスタの第１端と第２端との間の電圧を測定して、前記スイッチングトランジスタの第１端と第２端との間の電圧が前記予め設定された電圧保護値に達した時に、前記電源モジュールによって出力された電圧信号の電圧値を調整することを停止する、
ことを特徴とする請求項１６又は１７に記載の充電装置のテスト方法。
【請求項１９】
前記充電装置の電圧検出ユニットによって前記スイッチングトランジスタの第１端と第２端との間の電圧を検出し、前記充電装置の異常な電圧降下に対する保護機能が正常であり、且つ前記スイッチングトランジスタの第１端と第２端との間の電圧が前記予め設定された電圧保護値より大きい場合、前記充電装置を保護状態に入るように制御する、
ことを特徴とする請求項１４に記載の充電装置のテスト方法。
【請求項２０】
前記充電装置のテスト方法は、
提示モジュールによって前記異常な電圧降下に対する保護機能のテスト結果又は前記充電装置の保護状態に対して提示するステップをさらに含む、
ことを特徴とする請求項１４に記載の充電装置のテスト方法。
【発明の詳細な説明】
【技術分野】
【０００１】
本出願は、充電技術の分野に関し、特に、充電装置のテストシステム及び充電装置のテスト方法に関する。
【背景技術】
【０００２】
充電装置は、例えばアダプタ内に通常スイッチングトランジスタを設けて出力スイッチとする。実際の使用では、スイッチングトランジスタの電圧降下がある制限値を超えると、異常状態に見なされて、保護に入る。しかし、関連技術は、充電装置が上記の異常状態で保護に入ったか否かをテストするスキームを開示せず、充電装置の安全性及び安定性に影響する。
【発明の概要】
【発明が解決しようとする課題】
【０００３】
本出願は、充電装置の異常な電圧降下に対する保護機能が正常であるか否かを効率的にテストすることができる充電装置のテストシステム及び方法を提供し、充電装置の安全性及び安定性を確保する。
【課題を解決するための手段】
【０００４】
本出願の第１の側面の実施例により提供される充電装置のテストシステムは、スイッチングトランジスタと制御モジュールとを内部に有する充電装置と、前記スイッチングトランジスタの制御電極に接続され、前記スイッチングトランジスタの第１端と第２端との間の電圧が予め設定された電圧保護値より大きくなるように、前記スイッチングトランジスタの制御電極に電圧信号を出力するための電源モジュールと、を含み、前記制御モジュールは、前記スイッチングトランジスタの第１端と第２端との間の電圧が予め設定された電圧保護値より大きい場合に前記充電装置が保護状態に入ったか否かを確認して、前記充電装置の異常な電圧降下に対する保護機能をテストする。
【０００５】
本出願の実施例により提供される充電装置のテストシステムは、スイッチングトランジスタの第１端と第２端との間の電圧が予め設定された電圧保護値より大きくなるように、電源モジュールによってスイッチングトランジスタの制御電極に電圧信号を出力し、制御モジュールがスイッチングトランジスタの第１端と第２端との間の電圧が予め設定された電圧保護値より大きい場合に充電装置が保護状態に入ったか否かを確認して、充電装置の異常な電圧降下に対する保護機能をテストすることによって、充電装置の異常な電圧降下に対する保護機能が正常であるか否かを効率的にテストすることができ、充電装置の安全性及び安定性を確保し、異常な電圧降下に対する保護機能の問題によって充電装置のアフターセールスの問題が発生することを回避し、充電装置の品質を確保する。
【０００６】
本出願の一実施例によれば、前記充電装置は、さらに、充電インターフェースを有し、前記充電インターフェースは、負荷モジュールに接続され、前記スイッチングトランジスタの第１端又は第２端は、前記充電インターフェースを介して前記負荷モジュールに接続される。
【０００７】
本出願の一実施例によれば、前記負荷モジュールは定電流負荷である。
【０００８】
本出願の一実施例によれば、前記スイッチングトランジスタは、前記電源モジュールによって出力された電圧信号の電圧値を徐々に低下させるＮ型スイッチングトランジスタである。
【０００９】
本出願の一実施例によれば、前記スイッチングトランジスタは、前記電源モジュールによって出力された電圧信号の電圧値を徐々に増加させるＰ型スイッチングトランジスタである。
【００１０】
本出願の一実施例によれば、前記スイッチングトランジスタはＭＯＳトランジスタ又は三極管である。
【００１１】
本出願の一実施例によれば、前記の充電装置のテストシステムは、前記スイッチングトランジスタの第１端と第２端に接続され、前記スイッチングトランジスタの第１端と第２端との間の電圧を測定して、前記スイッチングトランジスタの第１端と第２端との間の電圧が前記予め設定された電圧保護値に達した時に、前記電源モジュールによって出力された電圧信号の電圧値を調整することを停止するための電圧測定装置をさらに含む。
【００１２】
本出願の一実施例によれば、前記電圧測定装置はマルチメータである。
【００１３】
本出願の一実施例によれば、前記制御モジュールは、電圧検出ユニットによって前記スイッチングトランジスタの第１端と第２端との間の電圧を検出し、前記充電装置の異常な電圧降下に対する保護機能が正常であり、且つ前記スイッチングトランジスタの第１端と第２端との間の電圧が前記予め設定された電圧保護値より大きい場合、前記充電装置を保護状態に入るように制御する。
【００１４】
本出願の一実施例によれば、前記電源モジュールは直流電源であり、前記直流電源は、正極が前記スイッチングトランジスタの制御電極に接続され、負極が接地される。
【００１５】
本出願の一実施例によれば、前記充電インターフェースは、正の電源線と負の電源線とを有し、前記正の電源線は、前記充電装置の充電回路の正の出力端に接続され、前記負の電源線は、前記充電装置の充電回路の負の出力端に接続され、前記スイッチングトランジスタは、前記正の電源線又は前記負の電源線に直列接続される。
【００１６】
本出願の一実施例によれば、前記の充電装置のテストシステムは、前記制御モジュールに接続され、前記制御モジュールの制御によって、前記異常な電圧降下に対する保護機能のテスト結果又は前記充電装置の保護状態に対して提示する提示モジュールをさらに含む。
【００１７】
本出願の一実施例によれば、前記提示モジュールは、前記充電装置と集積して設けられる。
【００１８】
本出願の第２の側面の実施例により提供される充電装置のテスト方法は、前記スイッチングトランジスタの第１端と第２端との間の電圧が予め設定された電圧保護値より大きくなるように、電源モジュールによって前記充電装置内のスイッチングトランジスタの制御電極に電圧信号を出力するステップと、前記スイッチングトランジスタの第１端と第２端との間の電圧が予め設定された電圧保護値より大きい場合に、前記充電装置の作動状態を確認して、前記充電装置の異常な電圧降下に対する保護機能をテストするステップと、を含む。
【００１９】
本出願の実施例により提供される充電装置のテスト方法は、スイッチングトランジスタの第１端と第２端との間の電圧が予め設定された電圧保護値より大きくなるように、電源モジュールによってスイッチングトランジスタの制御電極に電圧信号を出力し、次に、スイッチングトランジスタの第１端と第２端との間の電圧が予め設定された電圧保護値より大きい場合に充電装置が保護状態に進入したか否かを確認して、充電装置の異常な電圧降下に対する保護機能をテストすることによって、充電装置の異常な電圧降下に対する保護機能が正常であるか否かを効率的にテストすることができ、充電装置の安全性及び安定性を確保し、異常な電圧降下に対する保護機能の問題によって充電装置のアフターセールスの問題が発生することを回避し、充電装置の品質を確保する。
【００２０】
本出願の一実施例によれば、前記スイッチングモジュールの第１端又は第２端は、前記充電装置の充電インターフェースを介して、負荷モジュールに接続され、前記負荷モジュールは定電流負荷である。
【００２１】
本出願の一実施例によれば、前記スイッチングトランジスタは、前記電源モジュールによって出力された電圧信号の電圧値を徐々に低下させるＮ型スイッチングトランジスタである。
【００２２】
本出願の一実施例によれば、前記スイッチングトランジスタは、前記電源モジュールによって出力された電圧信号の電圧値を徐々に増加させるＰ型スイッチングトランジスタである。
【００２３】
本出願の一実施例によれば、電圧測定装置によって、前記スイッチングトランジスタの第１端と第２端との間の電圧を測定して、前記スイッチングトランジスタの第１端と第２端との間の電圧が前記予め設定された電圧保護値に達した時に、前記電源モジュールによって出力された電圧信号の電圧値を調整することを停止する。
【００２４】
本出願の一実施例によれば、前記充電装置の電圧検出ユニットによって、前記スイッチングトランジスタの第１端と第２端との間の電圧を検出し、前記充電装置の異常な電圧降下に対する保護機能が正常であり、前記スイッチングトランジスタの第１端と第２端との間の電圧が前記予め設定された電圧保護値より大きい場合、前記充電装置を保護状態に入るように制御する。
【００２５】
本出願の一実施例によれば、前記の充電装置のテスト方法は、提示モジュールによって前記異常な電圧降下に対する保護機能のテスト結果又は前記充電装置の保護状態に対して提示するステップをさらに含む。
【００２６】
本出願の付加的な特徴及び利点は、一部が以下の説明において示され、一部が以下の説明により明らかになり、又は本出願の実現により理解される。
【図面の簡単な説明】
【００２７】
本出願の上記及び/又は付加的な特徴及び利点は、図面を参照して実施例について以下に説明することにより、明らかになり、理解やすくなる。
【図１】本出願の実施例の充電装置のテストシステムのブロック概略図である。
【図２】本出願の一実施例の充電装置のテストシステムのブロック概略図である。
【図３】本出願の一実施例の充電装置のテストシステムのブロック概略図であり、電圧測定装置が設けられる。
【図４】本出願の一実施例の充電装置のテストシステムのブロック概略図であり、負荷モジュールが設けられている。
【図５】本出願の一実施例の充電装置のテストシステムの回路原理図である。
【図６】本出願の一実施例の充電装置のテストシステムのブロック概略図であり、提示モジュールが設けられている。
【図７】本出願の実施例の充電装置のテスト方法の概略フローチャートである。
【発明を実施するための形態】
【００２８】
以下、本出願の実施例を詳細に説明する。前記実施例における例が図面に示され、同一又は類似する符号は、常に同一又は類似する素子、或いは、同一又は類似する機能を有する素子を示す。以下に、図面を参照しながら説明される実施例は例示的なものであり、本出願を解釈するためだけに用いられ、本出願を限定するものと理解してはいけない。
【００２９】
以下、図面を参照して本出願の実施例の充電装置のテストシステム及び方法を説明し、当該充電装置のテストシステム及び方法は、充電装置の異常な電圧降下に対する保護機能をテストするために用いられる。
【００３０】
本出願の実施例では、充電装置は、電子機器に充電するために使用されることができる。電子機器は、端末を指すことができ、当該「端末」は、スマートフォン、コンピュータ、パーソナルデジタルアシスタント（ｐｅｒｓｏｎａｌ  ｄｉｇｉｔａｌ  ａｓｓｉｓｔａｎｔ、ＰＤＡ）、ウェアラブルデバイス、ブルートゥースヘッドセット、ゲーム機器、撮像デバイスなどを含むことができるが、これらに限定されない。充電装置は、アダプタ、モバイル電源（モバイルバッテリ）、車載充電器などの端末に充電する機能を有する機器であってもよい。アダプタを例として、充電装置は、ＶＯＯＣアダプタであってもよく、ＶＯＯＣアダプタの充電回路は、充電インターフェースを介して充電対象機器のバッテリに直接に接続することができる。
【００３１】
充電装置には、充電装置を制御して電気エネルギーの出力をオンにするため、又は電気エネルギーの出力をオフにするためのスイッチングトランジスタが設けられることを理解されたい。実際の使用では、はんだ付け又は駆動電圧不足によってスイッチングトランジスタが抵抗状態になる可能性があり、充電装置は、充電中に継続的に発熱してさらに焼損することができる。充電装置が充電中に継続的に発熱してさらに焼損することを防止するために、充電装置は異常な電圧降下に対する保護機能を有し、すなわちスイッチングトランジスタにおける電圧降下を検出し、スイッチングトランジスタの電圧降下が制限値を超えた場合、異常な電圧降下に対するが発生したと見なされ、充電装置が保護状態に入る。
【００３２】
このために、本出願の実施例の充電装置のテストシステムは、充電装置のテスト中に上記の異常な電圧降下に対するをシミュレーションし、充電装置が保護状態に進入したか否かを確認する。例えば、在スイッチングトランジスタの制御電極印加電圧、制御電極の電圧を制御することによってスイッチングトランジスタにおけるインピーダンスを調整し、次に、スイッチングトランジスタの電圧降下が制限値に達して、すなわち異常な電圧降下に対するが発生した場合、充電装置が保護状態に進入したか否かを確認することによって、異常な電圧降下に対する保護機能の有効性を検証する。
【００３３】
以下、図１〜６を組み合わせて本出願の実施例の充電装置のテストシステムを詳細に説明する。
【００３４】
図１〜２に示すように、本出願の実施例の充電装置のテストシステム１００は、充電装置１０と電源モジュール２０とを含む。
【００３５】
その中、充電装置１０内には、スイッチングトランジスタ１０１と制御モジュール１０２とを有する。例えば、スイッチングトランジスタ１０１は、充電装置１０における充電回路１０３の出力端に設けられることができ、スイッチングトランジスタ１０１がオンになる場合、充電回路１０３の出力端は出力し、スイッチングトランジスタ１０１がオフになる場合、充電回路１０３の出力端は出力を停止する。制御モジュール１０２は、スイッチングトランジスタ１０１の制御電極に接続されることができ、充電装置１０は、充電対象機器を充電し、すなわち異常な電圧降下に対する保護機能のテストを行わない場合、スイッチングトランジスタ１０１は、制御モジュール１０２の制御によりオン又はオフにすることができる。制御モジュール１０２は、ＭＣＵ（Ｍｉｃｒｏ−ｃｏｎｔｒｏｌｌｅｒ  Ｕｎｉｔ、マイクロコントローラユニット）であってもよい。
【００３６】
充電装置１０は、電源線を有する充電インターフェース１０４を有することもでき、充電装置１０は、充電インターフェース１０４内の電源線を介して外部に電気エネルギーを出力することができ、例えば、充電対象機器のバッテリを充電し、又は負荷モジュールに電気エネルギーを出力する。具体的には、図２に示すように、充電インターフェース１０４は、正の電源線Ｌ＋と負の電源線Ｌ−とを有し、正の電源線Ｌ＋は、充電装置１０の充電回路１０３の正の出力端＋に接続され、負の電源線Ｌ−は、充電装置１０の充電回路１０３の負の出力端−に接続され、スイッチングトランジスタ１０１は、正の電源線Ｌ＋又は負の電源線Ｌ−に直列接続される。例えば、充電装置１０が充電インターフェース１０４を介して充電対象機器に接続される場合、正の電源線Ｌ＋及び負の電源線Ｌ−は、充電対象機器のバッテリを充電するために、バッテリの正極と負極とにそれぞれ接続されることができる。
【００３７】
これにより、制御スイッチングトランジスタ１０１のオン/オフを制御することによって、正の電源線Ｌ＋又は負の電源線Ｌ−と充電回路１０３とを制御して導通又は遮断を形成することによって、充電装置１０の電気エネルギーの出力を制御することができる。
【００３８】
電源モジュール２０は、スイッチングトランジスタ１０１の制御電極に接続され、電源モジュール２０は、スイッチングトランジスタ１０１の電圧降下、すなわちスイッチングトランジスタ１０１の第１端と第２端との間の電圧が予め設定された電圧保護値より大きくなるように、スイッチングトランジスタ１０１の制御電極に電圧信号を出力するために用いられる。
【００３９】
制御モジュール１０２は、スイッチングトランジスタ１０１の第１端と第２端との間の電圧が予め設定された電圧保護値より大きい場合に充電装置１０保護状態に進入したか否かを確認して、充電装置１０の異常な電圧降下に対する保護機能をテストするために用いられる。
【００４０】
充電装置１０内には、電圧検出ユニットを有することもできることを理解されたい。制御モジュール１０２は、電圧検出ユニットを介してスイッチングトランジスタ１０１の第１端と第２端との間の電圧を検出し、充電装置１０の異常な電圧降下に対する保護機能が正常であり、スイッチングトランジスタ１０１の第１端と第２端との間の電圧が予め設定された電圧保護値より大きい場合に、充電装置１０を保護状態に入るように制御する。充電装置１０の異常な電圧降下に対する保護機能の故障又はスイッチングトランジスタ１０１の第１端と第２端との間の電圧が予め設定された電圧保護値以下である場合、充電装置１０を正常の作動状態にあるように制御する。
【００４１】
充電装置１０の異常な電圧降下に対する保護機能をテストする場合、電源モジュール２０によってスイッチングトランジスタ１０１の制御電極に電圧信号を出力し、電圧信号の電圧値を調整することによってスイッチングトランジスタ１０１の電圧降下を調整し、スイッチングトランジスタ１０１の電圧降下が予め設定された電圧保護値より大きい場合、すなわち異常な電圧降下に対するをシミュレーションする場合に、充電装置が保護状態に進入したか否かを判断することによって、充電装置が異常な電圧降下に対する保護機能を有するか否かを確認し、すなわち充電装置が保護状態に入る場合、充電装置が異常な電圧降下に対する保護機能を有するか、又は異常な電圧降下に対する保護機能が有効であるかを確認し、充電装置が保護状態に入っていない場合、充電装置が異常な電圧降下に対する保護機能を有していないか、又は異常な電圧降下に対する保護機能が無効であるかを確認する。
【００４２】
これにより、充電装置の異常な電圧降下に対する保護機能が正常であるか否かを効率的にテストすることができ、充電装置の安全性及び安定性を確保し、異常な電圧降下に対する保護機能の問題によって充電装置のアフターセールスの問題が発生することを回避し、充電装置の品質を確保する。
【００４３】
本出願のいくつかの実施例によれば、電源モジュール２０によって出力された電圧信号の電圧値は、手動で調整することができ、制御器の制御により自動的に調整することもできる。例えば、手動で調整する場合、ユーザは、電圧値又は電圧変化量を手動で入力することができ、電源モジュール２０は、ユーザが手動で入力した電圧値又は電圧変化量に基づいて、電圧信号の電圧値を調整することができ、また、自動的に調整する場合、制御器は、スイッチングトランジスタ１０１の電圧降下に基づいて電圧値又は電圧変化量を生成することができ、電源モジュール２０は、制御器によって生成された電圧値又は電圧変化量に基づいて電圧信号の電圧値を調整することができる。
【００４４】
具体的には、図３に示すように、充電装置のテストシステム１００は、スイッチングト  ランジスタ１０１の第１端と第２端に接続され、スイッチングトランジスタ１０１の第１端と第２端との間の電圧を測定して、スイッチングトランジスタ１０１の第１端と第２端との間の電圧が予め設定された電圧保護値に達した時に電源モジュール２０によって出力された電圧信号の電圧値を調整することを停止する電圧測定装置３０をさらに含む。電圧測定装置３０はマルチメータである。
【００４５】
手動で調整する場合、ユーザが電源モジュール２０の電圧信号の電圧値を毎回調整した後、電源モジュール２０は、ユーザの調整に基づいて対応する電圧値の電圧信号をスイッチングトランジスタ１０１の制御電極に出力することができ、次に、電圧測定装置３０を介してスイッチングトランジスタ１０１の電圧降下を測定することができ、ユーザは、電圧測定装置３０を介して測定された電圧降下を確認することができ、スイッチングトランジスタ１０１の電圧降下が予め設定された電圧保護値に達した場合、電源モジュール２０の電圧信号の電圧値の調整を停止し、スイッチングトランジスタ１０１の電圧降下が予め設定された電圧保護値に達していない場合、スイッチングトランジスタ１０１の電圧降下が予め設定された電圧保護値に達するまで、電源モジュール２０の電圧信号の電圧値を継続に調整する。
【００４６】
同様に、制御器によって自動的に調整する場合、制御器が電源モジュール２０の電圧信号の電圧値を毎回調整した後、電源モジュール２０は、対応する電圧値の電圧信号をスイッチングトランジスタ１０１の制御電極に出力することができ、次に、制御器は、電圧測定装置３０を介してスイッチングトランジスタ１０１の電圧降下を取得し、スイッチングトランジスタ１０１の電圧降下が予め設定された電圧保護値に達した場合、電源モジュール２０の電圧信号の電圧値の調整を停止し、スイッチングトランジスタ１０１の電圧降下が予め設定された電圧保護値に達していない場合、スイッチングトランジスタ１０１の電圧降下が予め設定された電圧保護値に達するまで、電源モジュール２０の電圧信号の電圧値を継続に調整する。
【００４７】
本出願の一実施例によれば、図４に示すように、充電装置１０は、負荷モジュール４０に接続されることができ、例えば、充電装置１０は、充電インターフェース１０４を介して負荷モジュール４０に接続されることができ、スイッチングトランジスタ１０１の第１端又は第２端は、充電インターフェース１０４を介して負荷モジュール４０に接続されることができる。一例として、負荷モジュール４０は定電流負荷であることができ、例えば、負荷モジュール４０が電子負荷である場合、電子負荷が置かれている回路内の電流が一定に保たれるように、電子負荷は定電流モードにある。
【００４８】
充電インターフェース１０４が負荷モジュール４０に接続されることができる場合、充電装置１０の充電回路１０３は、負荷モジュール４０と回路を構成することができ、負荷モジュール４０は定電流負荷であることができるため、回路内の電流は一定であり、すなわちスイッチングトランジスタ１０１を流れる電流は一定であることを理解されたい。これにより、負荷モジュール４０を介して固定電流を抽出することによって、電源モジュール２０の電圧信号を調整することが容易になり、電圧信号の電圧値を徐々に低下又は増加する限り、スイッチングトランジスタ１０１の電圧降下を徐々に高めることができる。
【００４９】
一例として、スイッチングトランジスタ１０１は、ＭＯＳトランジスタ又は三極管であってもよい。例えば、図５に示すように、ＭＯＳトランジスタのドレインＤは、スイッチングトランジスタ１０１の第１端であってもよく、ＭＯＳトランジスタのソースＳは、スイッチングトランジスタ１０１の第２端であってもよく、ＭＯＳトランジスタのゲートＧは、スイッチングトランジスタ１０１の制御電極であってもよい。ＭＯＳトランジスタのドレインＤは、充電装置１０の充電回路１０３に接続されることができ、ＭＯＳトランジスタのソースＳは、充電インターフェース１０４に接続されることができ、ＭＯＳトランジスタのゲートＧは、制御モジュール１０２に接続され、電流は、ＭＯＳトランジスタのドレインＤから流入して、ＭＯＳトランジスタのソースＳから流出し、電流方向は、図５の矢印方向に示されている。
【００５０】
さらに、スイッチングトランジスタ１０１は、ＮＭＯＳトランジスタ又はＮＰＮ三極管などのＮ型スイッチングトランジスタであってもよく、この時、電源モジュール２０によって出力された電圧信号の電圧値を徐々に低下することができる。ＮＭＯＳトランジスタを例として、電源モジュール２０によって出力された電圧信号の電圧値が低いほど、ＮＭＯＳトランジスタのドレインＤとソースＳとの間のインピーダンスが大きくなり、負荷モジュール４０によって固定電流を抽出するため、ＮＭＯＳトランジスタを流れる電流は一定であるため、ＮＭＯＳトランジスタのドレインＤとソースＳとの間の電圧降下も大きくなる。電源モジュール２０の電圧信号の電圧値がある電圧値より低い場合、ＮＭＯＳトランジスタの電圧降下は、予め設定された電圧保護値より大きくなることができる。
【００５１】
又は、スイッチングトランジスタ１０１は、ＰＭＯＳトランジスタ又はＰＮＰ三極管などのＰ型スイッチングトランジスタであってもよく、この時、電源モジュールによって出力された電圧信号の電圧値を徐々に高めることができる。ＰＭＯＳトランジスタを例として、電源モジュール２０によって出力された電圧信号の電圧値が高いほど、ＰＭＯＳトランジスタのドレインＤとソースＳとの間のインピーダンスが大きくなり、負荷モジュール４０によって固定電流を抽出するため、ＰＭＯＳトランジスタを流れる電流は一定であるため、ＰＭＯＳトランジスタのドレインＤとソースＳとの間の電圧降下も大きくなる。電源モジュール２０の電圧信号の電圧値がある電圧値より高い場合、ＰＭＯＳトランジスタの電圧降下は、予め設定された電圧保護値より大きくなることができる。
【００５２】
これにより、本出願の実施例では、Ｎ型スイッチングトランジスタを例として説明する。スイッチングトランジスタ１０１の制御電極における電源モジュール２０の出力電圧（すなわち電源モジュール２０によって出力された電圧信号の電圧値）を調整することによって、スイッチングトランジスタ１０１のインピーダンスを調整し、電源モジュール２０の出力電圧が低いほど、Ｎ型スイッチングトランジスタのインピーダンスが大きくなる。マルチメータを使用してスイッチングトランジスタ１０１両端の電圧降下をリアルタイムで測定し、充電装置１０は、一つの負荷モジュール４０によって固定電流を抽出して、電源モジュール２０の出力電圧を調整し、電源モジュール２０の出力電圧がある電圧値より低い、すなわちスイッチングトランジスタ１０１両端の電圧降下が予め設定された電圧保護値より大きい場合、充電装置１０が保護状態に進入したか否かを確認することによって、充電装置１０が異常な電圧降下に対する保護機能を有するか否かを確認し、これによって、充電装置の異常な電圧降下に対する保護機能が正常であるか否かをテストすることができ、充電装置の安全性及び安定性を確保し、異常な電圧降下に対する保護機能の問題によって充電装置のアフターセールスの問題が発生することを回避し、充電装置の品質を確保する。
【００５３】
一例として、図５に示すように、電源モジュール２０は、直流電源ＤＣであってもよく、直流電源ＤＣの正極は、スイッチングトランジスタ１０１の制御電極に接続され、直流電源ＤＣの負極は接地する。充電装置１０に対して異常な電圧降下に対する保護機能のテストを行う場合、充電装置１０をオンにすることができ、直流電源ＤＣの正極は、スイッチングトランジスタ１０１の制御電極に直接に接続され、直流電源ＤＣの負極は、充電装置１０の参照する地面に接続されることが理解されたい。
【００５４】
本出願の一実施例によれば、図６に示すように、充電装置のテストシステム１００は、制御モジュール１０２に接続され、制御モジュール１０２の制御により異常な電圧降下に対する保護機能のテスト結果又は充電装置１０の保護状態に対して提示する提示モジュール５０をさらに含み、これによって、ユーザが直感的にテスト結果を理解することが容易になることができる。
【００５５】
スイッチングトランジスタ１０１の電圧降下が予め設定された電圧保護値に達した場合、制御モジュール１０２は、異常な電圧降下に対する保護機能のテスト結果又は充電装置１０の保護状態に基づいて提示モジュール５０を制御して提示情報を送信することができることを理解されたい。ユーザが提示モジュール５０によって送信された提示情報は、直感的にテスト結果を理解し、充電装置が異常な電圧降下に対する保護機能を有するか否かを確認することができる。
【００５６】
例えば、電源モジュール２０の出力電圧を手動で調整することによって、スイッチングトランジスタ１０１の電圧降下が予め設定された電圧保護値に達した場合、ユーザは、提示モジュール５０が充電装置が保護状態に入る旨の提示を送信したか否かを確認することができ、提示モジュール５０が充電装置が保護状態に入る旨の提示を送信する場合、充電装置が異常な電圧降下に対する保護機能を有するか、又は異常な電圧降下に対する保護機能が有効であるかを確認し、提示モジュール５０が充電装置が保護状態に入る旨の提示を送信してない場合、充電装置が異常な電圧降下に対する保護機能を有していないか、又は異常な電圧降下に対する保護機能が無効であるかを確認する。
【００５７】
また、制御器を介して電源モジュール２０の出力電圧を自動的に調整することによって、スイッチングトランジスタ１０１の電圧降下が予め設定された電圧保護値に達した場合、制御器は、制御モジュール１０２に状態提示命令を送信することができ、制御モジュール１０２は状態提示命令を受信した後、充電装置１０の保護状態を指示するための情報を提示モジュール５０に送信することができ、提示モジュール５０は、受信された情報に基づいて提示情報を送信することができ、提示モジュール５０が充電装置が保護状態に入る旨の提示を送信する場合、充電装置が異常な電圧降下に対する保護機能を有するか、又は異常な電圧降下に対する保護機能が有効であるかを確認し、提示モジュール５０が充電装置が保護状態に入る旨の提示を送信してない場合、充電装置が異常な電圧降下に対する保護機能を有していないか、又は異常な電圧降下に対する保護機能が無効であるかを確認する。
【００５８】
一例として、提示モジュール５０は、充電装置１０と集積して設けられることができ、例えば、提示モジュール５０は、充電装置１０におけるインジケータライトであってもよい。又は、提示モジュール５０は、充電装置１０の制御モジュール１０２と通信することができ、すなわち制御モジュール１０２は、異常な電圧降下に対する保護機能のテスト結果又は充電装置１０の保護状態を指示するための情報を提示モジュール５０に送信することができ、提示モジュール５０は、受信された情報に基づいて提示情報を送信することができ、例えば、提示モジュール５０はディスプレイであってもよく、ディスプレイは、異常な電圧降下に対する保護機能のテスト結果又は充電装置１０保護状態に進入したか否かを表示することができる。
【００５９】
要約すると、本出願の実施例により提供される充電装置のテストシステムは、スイッチングトランジスタの第１端と第２端との間の電圧が予め設定された電圧保護値より大きくなるように、電源モジュールによってスイッチングトランジスタの制御電極に電圧信号を出力し、制御モジュールがスイッチングトランジスタの第１端と第２端との間の電圧が予め設定された電圧保護値より大きい場合に充電装置が保護状態に進入したか否かを確認して、充電装置の異常な電圧降下に対する保護機能をテストすることによって、充電装置の異常な電圧降下に対する保護機能が正常であるか否かを効率的にテストすることができ、充電装置の安全性及び安定性を確保し、異常な電圧降下に対する保護機能の問題によって充電装置のアフターセールスの問題が発生することを回避し、充電装置の品質を確保する。
【００６０】
上記の実施例の充電装置のテストシステムに対応して、本出願は、充電装置のテスト方法をさらに提供する。
【００６１】
図７は、本出願の実施例により提供される充電装置のテスト方法の概略フローチャートである。図７に示すように、当該充電装置のテスト方法は、以下のようなステップを含む。
ステップＳ１：スイッチングトランジスタの第１端と第２端との間の電圧が予め設定された電圧保護値より大きくなるように、電源モジュールによって充電装置内のスイッチングトランジスタの制御電極に電圧信号を出力する。
ステップＳ２：スイッチングトランジスタの第１端と第２端との間の電圧が予め設定された電圧保護値より大きい場合に、充電装置の作動状態を確認して、充電装置の異常な電圧降下に対する保護機能をテストする。
【００６２】
本出願の一実施例によれば、前記スイッチングモジュールの第１端又は第２端は、前記充電装置の充電インターフェースを介して、負荷モジュールに接続され、前記負荷モジュールは定電流負荷である。
【００６３】
本出願の一実施例によれば、前記スイッチングトランジスタは、前記電源モジュールによって出力された電圧信号の電圧値を徐々に低下させるＮ型スイッチングトランジスタである。
【００６４】
本出願の一実施例によれば、前記スイッチングトランジスタは、前記電源モジュールによって出力された電圧信号の電圧値を徐々に増加させるＰ型スイッチングトランジスタであり。
【００６５】
本出願の一実施例によれば、電圧測定装置によって前記スイッチングトランジスタの第１端と第２端との間の電圧を測定して、前記スイッチングトランジスタの第１端と第２端との間の電圧が前記予め設定された電圧保護値に達した時に、前記電源モジュールによって出力された電圧信号の電圧値を調整することを停止する。
【００６６】
本出願の一実施例によれば、前記充電装置の電圧検出ユニットによって前記スイッチングトランジスタの第１端と第２端との間の電圧を検出し、前記充電装置の異常な電圧降下に対する保護機能が正常であり、前記スイッチングトランジスタの第１端と第２端との間の電圧が前記予め設定された電圧保護値より大きい場合、前記充電装置を保護状態に入るように制御する。
【００６７】
本出願の一実施例によれば、前記の充電装置のテスト方法は、提示モジュールによって前記異常な電圧降下に対する保護機能のテスト結果又は前記充電装置の保護状態に対して提示するステップをさらに含む。
【００６８】
なお、上記の充電装置のテストシステムの実施例の説明は、当該実施例の充電装置のテスト方法にも適用されており、ここでは詳細に説明しない。
【００６９】
要約すると、本出願の実施例により提供される充電装置のテスト方法は、スイッチングトランジスタの第１端と第２端との間の電圧が予め設定された電圧保護値より大きくなるように、電源モジュールによってスイッチングトランジスタの制御電極に電圧信号を出力し、次に、スイッチングトランジスタの第１端と第２端との間の電圧が予め設定された電圧保護値より大きい場合に、充電装置が保護状態に進入したか否かを確認して、充電装置の異常な電圧降下に対する保護機能をテストすることによって、充電装置の異常な電圧降下に対する保護機能が正常であるか否かを効率的にテストすることができ、充電装置の安全性及び安定性を確保し、異常な電圧降下に対する保護機能の問題によって充電装置のアフターセールスの問題が発生することを回避し、充電装置の品質を確保する。
【００７０】
当業者は、以下のことを意識することができる。本出願に開示されている実施例に合わせて説明された各例のユニット及アルゴリズムステップは、電子ハードウェア、またはコンピュータソフトウェアと電子ハードウェアとの結合によって実現することができる。これらの機能が一体ハードウェア、それともソフトウェアの方式によって実行されるのかは、技術案の特定応用及び設計拘束条件によるものである。当業者は、各特定の応用に対して、説明された機能を異なる方法で実現することができ、このような実現は、本発明の範囲を超えたと考えてはいけない。
【００７１】
説明上の便利と簡潔で、上記説明されたシステム、装置及びユニットの具体的な作業プロセスは、前述の方法実施例における対応する過程を参照することができるため、ここで説明を省略する。これは当業者に明白に理解されるべきである。
【００７２】
本出願によって提供されるいくつかの実施例において、開示されているシステムと、装置と、方法とは、他の方式によって実現することができる。例えば、上記装置の実施例は、概略的なものだけである。例えば、前記ユニットの区分は、ロジック機能の区分だけである。実際に実現する時に、他の区分方式を有することができる。例えば、複数のユニットまたはコンポーネントは、結合することができる、または他のシステムに集積することができ、または一部の特徴を無視することができ、または実行しないことができる。一方、示されたまたは論議された相互間の結合または直接結合または通信接続は、一部のインターフェイスを介して、装置またはユニットの間接結合または通信接続であってもよく、電気的、機械的または他の形式であってもよい。
【００７３】
分離部品として説明された前記ユニットは、物理上に分離していてもよいし、物理上に分離していなくてもよい。ユニットとして示された部品は、物理的なユニットであってもよいし、物理的なユニットでなくてもよい。即ち、一つの場所にあってもよいし、または複数のネットワークユニットに分布されてもよい。必要に応じて、そのうちの一部または全部のユニットを選択して本実施例の技術案の目的を実現することができる。
【００７４】
また、本発明の各実施例においての各機能ユニットは、一つの処理ユニットに集められてもよいが、各ユニットが独立な物理存在であってもよく、二つ以におけるユニットが一つのユニットに集めてもよい。
【００７５】
前記機能はソフトウェア機能ユニットの形で実現され独立な商品として販売又は使用される際、一つのコンピュータ読取可能媒体中に記憶されることはできる。このような理解に基づいて、本発明の技術案は本質上、又は従来技術に貢献する部分又は当該技術案の部分がソフトウェア商品の形で現れることができ、当該コンピュータ・ソフトウェア商品が一つの記憶媒体に記憶され、若干の命令を含むことで一台のコンピュータ装置（パーソナル・コンピュータや、サーバー、又はネット装置等）に本発明の各実施例の前記方法の全部又は一部のステップを実行させる。前記の記憶媒体は、Ｕディスクと、リムーバブルハードディスクと、読み出し専用メモリ（ＲＯＭ，Ｒｅａｄ−Ｏｎｌｙ Ｍｅｍｏｒｙ）と、ランダムアクセスメモリ（ＲＡＭ，Ｒａｎｄｏｍ Ａｃｃｅｓｓ Ｍｅｍｏｒｙ）と、ディスクまたはＣＤ等様々なプログラムコードを記憶できる媒体を含む。
【００７６】
以上の記載は、本発明の実施形態に過ぎなく、本発明の保護範囲はこれに限定されない。当分野に詳しい全ての当業者が本発明に開示された技術範囲内で容易に想到する変化または取り替えは、本発明の保護範囲に含まれるべきである。従って、本発明の保護範囲はその特許請求の範囲に準ずるべきである。
【図１】
2021502043.tif 000003
【図２】
2021502043.tif 000004
【図３】
2021502043.tif 000005
【図４】
2021502043.tif 000006
【図５】
2021502043.tif 000007
【図６】
2021502043.tif 000008
【図７】
2021502043.tif 000009
【手続補正書】
【提出日】令和2年1月29日(2020.1.29)
【手続補正１】
【補正対象書類名】明細書
【補正対象項目名】全文
【補正方法】変更
【補正の内容】
【発明の詳細な説明】
【技術分野】
【０００１】
本出願は、充電技術の分野に関し、特に、充電装置のテストシステム及び充電装置のテスト方法に関する。
【背景技術】
【０００２】
充電装置は、例えばアダプタ内に通常スイッチングトランジスタを設けて出力スイッチとする。実際の使用では、スイッチングトランジスタの電圧降下がある制限値を超えると、異常状態に見なされて、保護に入る。しかし、関連技術は、充電装置が上記の異常状態で保護に入ったか否かをテストするスキームを開示せず、充電装置の安全性及び安定性に影響する。
【発明の概要】
【発明が解決しようとする課題】
【０００３】
本出願は、充電装置の異常な電圧降下に対する保護機能が正常であるか否かを効率的にテストすることができる充電装置のテストシステム及び方法を提供し、充電装置の安全性及び安定性を確保する。
【課題を解決するための手段】
【０００４】
本出願の第１の側面の実施例により提供される充電装置のテストシステムは、スイッチングトランジスタと制御モジュールとを有する充電装置と、前記スイッチングトランジスタの制御電極に接続され、前記スイッチングトランジスタの第１端と第２端との間の電圧が予め設定された電圧保護値より大きくなるように、前記スイッチングトランジスタの制御電極に電圧信号を出力するための電源モジュールと、を含み、前記制御モジュールは、前記スイッチングトランジスタの第１端と第２端との間の電圧が予め設定された電圧保護値より大きい場合に前記充電装置が保護状態に入ったか否かを確認して、前記充電装置の異常な電圧降下に対する保護機能をテストする。
【０００５】
本出願の実施例により提供される充電装置のテストシステムは、スイッチングトランジスタの第１端と第２端との間の電圧が予め設定された電圧保護値より大きくなるように、電源モジュールによってスイッチングトランジスタの制御電極に電圧信号を出力し、制御モジュールがスイッチングトランジスタの第１端と第２端との間の電圧が予め設定された電圧保護値より大きい場合に充電装置が保護状態に入ったか否かを確認して、充電装置の異常な電圧降下に対する保護機能をテストすることによって、充電装置の異常な電圧降下に対する保護機能が正常であるか否かを効率的にテストすることができ、充電装置の安全性及び安定性を確保し、異常な電圧降下に対する保護機能の問題によって充電装置のアフターセールスの問題が発生することを回避し、充電装置の品質を確保する。
【０００６】
本出願の一実施例によれば、前記充電装置は、さらに、充電インターフェースを有し、前記充電インターフェースは、負荷モジュールに接続され、前記スイッチングトランジスタの第１端又は第２端は、前記充電インターフェースを介して前記負荷モジュールに接続される。
【０００７】
本出願の一実施例によれば、前記負荷モジュールは定電流負荷である。
【０００８】
本出願の一実施例によれば、前記スイッチングトランジスタは、前記電源モジュールによって出力された電圧信号の電圧値を徐々に低下させるＮ型スイッチングトランジスタである。
【０００９】
本出願の一実施例によれば、前記スイッチングトランジスタは、前記電源モジュールによって出力された電圧信号の電圧値を徐々に増加させるＰ型スイッチングトランジスタである。
【００１０】
本出願の一実施例によれば、前記スイッチングトランジスタはＭＯＳトランジスタ又は三極管である。
【００１１】
本出願の一実施例によれば、前記の充電装置のテストシステムは、前記スイッチングトランジスタの第１端と第２端に接続され、前記スイッチングトランジスタの第１端と第２端との間の電圧を測定して、前記スイッチングトランジスタの第１端と第２端との間の電圧が前記予め設定された電圧保護値に達した時に、前記電源モジュールによって出力された電圧信号の電圧値を調整することを停止するための電圧測定装置をさらに含む。
【００１２】
本出願の一実施例によれば、前記電圧測定装置はマルチメータである。
【００１３】
本出願の一実施例によれば、前記制御モジュールは、電圧検出ユニットによって前記スイッチングトランジスタの第１端と第２端との間の電圧を検出し、前記充電装置の異常な電圧降下に対する保護機能が正常であり、且つ前記スイッチングトランジスタの第１端と第２端との間の電圧が前記予め設定された電圧保護値より大きい場合、前記充電装置を保護状態に入るように制御する。
【００１４】
本出願の一実施例によれば、前記電源モジュールは直流電源であり、前記直流電源は、正極が前記スイッチングトランジスタの制御電極に接続され、負極が接地される。
【００１５】
本出願の一実施例によれば、前記充電インターフェースは、正の電源線と負の電源線とを有し、前記正の電源線は、前記充電装置の充電回路の正の出力端に接続され、前記負の電源線は、前記充電装置の充電回路の負の出力端に接続され、前記スイッチングトランジスタは、前記正の電源線又は前記負の電源線に直列接続される。
【００１６】
本出願の一実施例によれば、前記の充電装置のテストシステムは、前記制御モジュールに接続され、前記制御モジュールの制御によって、前記異常な電圧降下に対する保護機能のテスト結果又は前記充電装置の保護状態に対して提示する提示モジュールをさらに含む。
【００１７】
本出願の一実施例によれば、前記提示モジュールは、前記充電装置と集積して設けられる。
【００１８】
本出願の第２の側面の実施例により提供される充電装置のテスト方法は、前記スイッチングトランジスタの第１端と第２端との間の電圧が予め設定された電圧保護値より大きくなるように、前記充電装置内のスイッチングトランジスタの制御電極に電圧信号を出力するステップと、前記スイッチングトランジスタの第１端と第２端との間の電圧が予め設定された電圧保護値より大きい場合に、前記充電装置の作動状態を確認して、前記充電装置の異常な電圧降下に対する保護機能をテストするステップと、を含む。
【００１９】
本出願の実施例により提供される充電装置のテスト方法は、スイッチングトランジスタの第１端と第２端との間の電圧が予め設定された電圧保護値より大きくなるように、電源モジュールによってスイッチングトランジスタの制御電極に電圧信号を出力し、次に、スイッチングトランジスタの第１端と第２端との間の電圧が予め設定された電圧保護値より大きい場合に充電装置が保護状態に進入したか否かを確認して、充電装置の異常な電圧降下に対する保護機能をテストすることによって、充電装置の異常な電圧降下に対する保護機能が正常であるか否かを効率的にテストすることができ、充電装置の安全性及び安定性を確保し、異常な電圧降下に対する保護機能の問題によって充電装置のアフターセールスの問題が発生することを回避し、充電装置の品質を確保する。
【００２０】
本出願の一実施例によれば、前記スイッチングモジュールの第１端又は第２端は、前記充電装置の充電インターフェースを介して、負荷モジュールに接続され、前記負荷モジュールは定電流負荷である。
【００２１】
本出願の一実施例によれば、前記スイッチングトランジスタは、前記電源モジュールによって出力された電圧信号の電圧値を徐々に低下させるＮ型スイッチングトランジスタである。
【００２２】
本出願の一実施例によれば、前記スイッチングトランジスタは、前記電源モジュールによって出力された電圧信号の電圧値を徐々に増加させるＰ型スイッチングトランジスタである。
【００２３】
本出願の一実施例によれば、電圧測定装置によって、前記スイッチングトランジスタの第１端と第２端との間の電圧を測定して、前記スイッチングトランジスタの第１端と第２端との間の電圧が前記予め設定された電圧保護値に達した時に、前記電源モジュールによって出力された電圧信号の電圧値を調整することを停止する。
【００２４】
本出願の一実施例によれば、前記充電装置の電圧検出ユニットによって、前記スイッチングトランジスタの第１端と第２端との間の電圧を検出し、前記充電装置の異常な電圧降下に対する保護機能が正常であり、前記スイッチングトランジスタの第１端と第２端との間の電圧が前記予め設定された電圧保護値より大きい場合、前記充電装置を保護状態に入るように制御する。
【００２５】
本出願の一実施例によれば、前記の充電装置のテスト方法は、提示モジュールによって前記異常な電圧降下に対する保護機能のテスト結果又は前記充電装置の保護状態に対して提示するステップをさらに含む。
【００２６】
本出願の付加的な特徴及び利点は、一部が以下の説明において示され、一部が以下の説明により明らかになり、又は本出願の実現により理解される。
【図面の簡単な説明】
【００２７】
本出願の上記及び/又は付加的な特徴及び利点は、図面を参照して実施例について以下に説明することにより、明らかになり、理解やすくなる。
【図１】本出願の実施例の充電装置のテストシステムのブロック概略図である。
【図２】本出願の一実施例の充電装置のテストシステムのブロック概略図である。
【図３】本出願の一実施例の充電装置のテストシステムのブロック概略図であり、電圧測定装置が設けられる。
【図４】本出願の一実施例の充電装置のテストシステムのブロック概略図であり、負荷モジュールが設けられている。
【図５】本出願の一実施例の充電装置のテストシステムの回路原理図である。
【図６】本出願の一実施例の充電装置のテストシステムのブロック概略図であり、提示モジュールが設けられている。
【図７】本出願の実施例の充電装置のテスト方法の概略フローチャートである。
【発明を実施するための形態】
【００２８】
以下、本出願の実施例を詳細に説明する。前記実施例における例が図面に示され、同一又は類似する符号は、常に同一又は類似する素子、或いは、同一又は類似する機能を有する素子を示す。以下に、図面を参照しながら説明される実施例は例示的なものであり、本出願を解釈するためだけに用いられ、本出願を限定するものと理解してはいけない。
【００２９】
以下、図面を参照して本出願の実施例の充電装置のテストシステム及び方法を説明し、当該充電装置のテストシステム及び方法は、充電装置の異常な電圧降下に対する保護機能をテストするために用いられる。
【００３０】
本出願の実施例では、充電装置は、電子機器に充電するために使用されることができる。電子機器は、端末を指すことができ、当該「端末」は、スマートフォン、コンピュータ、パーソナルデジタルアシスタント（ｐｅｒｓｏｎａｌ  ｄｉｇｉｔａｌ  ａｓｓｉｓｔａｎｔ、ＰＤＡ）、ウェアラブルデバイス、ブルートゥースヘッドセット、ゲーム機器、撮像デバイスなどを含むことができるが、これらに限定されない。充電装置は、アダプタ、モバイル電源（モバイルバッテリ）、車載充電器などの端末に充電する機能を有する機器であってもよい。アダプタを例として、充電装置は、ＶＯＯＣアダプタであってもよく、ＶＯＯＣアダプタの充電回路は、充電インターフェースを介して充電対象機器のバッテリに直接に接続することができる。
【００３１】
充電装置には、充電装置を制御して電気エネルギーの出力をオンにするため、又は電気エネルギーの出力をオフにするためのスイッチングトランジスタが設けられることを理解されたい。実際の使用では、はんだ付け又は駆動電圧不足によってスイッチングトランジスタが抵抗状態になる可能性があり、充電装置は、充電中に継続的に発熱してさらに焼損することができる。充電装置が充電中に継続的に発熱してさらに焼損することを防止するために、充電装置は異常な電圧降下に対する保護機能を有し、すなわちスイッチングトランジスタにおける電圧降下を検出し、スイッチングトランジスタの電圧降下が制限値を超えた場合、異常な電圧降下に対するが発生したと見なされ、充電装置が保護状態に入る。
【００３２】
このために、本出願の実施例の充電装置のテストシステムは、充電装置のテスト中に上記の異常な電圧降下に対するをシミュレーションし、充電装置が保護状態に進入したか否かを確認する。例えば、在スイッチングトランジスタの制御電極印加電圧、制御電極の電圧を制御することによってスイッチングトランジスタにおけるインピーダンスを調整し、次に、スイッチングトランジスタの電圧降下が制限値に達して、すなわち異常な電圧降下に対するが発生した場合、充電装置が保護状態に進入したか否かを確認することによって、異常な電圧降下に対する保護機能の有効性を検証する。
【００３３】
以下、図１〜６を組み合わせて本出願の実施例の充電装置のテストシステムを詳細に説明する。
【００３４】
図１〜２に示すように、本出願の実施例の充電装置のテストシステム１００は、充電装置１０と電源モジュール２０とを含む。
【００３５】
その中、充電装置１０内には、スイッチングトランジスタ１０１と制御モジュール１０２とを有する。例えば、スイッチングトランジスタ１０１は、充電装置１０における充電回路１０３の出力端に設けられることができ、スイッチングトランジスタ１０１がオンになる場合、充電回路１０３の出力端は出力し、スイッチングトランジスタ１０１がオフになる場合、充電回路１０３の出力端は出力を停止する。制御モジュール１０２は、スイッチングトランジスタ１０１の制御電極に接続されることができ、充電装置１０は、充電対象機器を充電し、すなわち異常な電圧降下に対する保護機能のテストを行わない場合、スイッチングトランジスタ１０１は、制御モジュール１０２の制御によりオン又はオフにすることができる。制御モジュール１０２は、ＭＣＵ（Ｍｉｃｒｏ−ｃｏｎｔｒｏｌｌｅｒ  Ｕｎｉｔ、マイクロコントローラユニット）であってもよい。
【００３６】
充電装置１０は、電源線を有する充電インターフェース１０４を有することもでき、充電装置１０は、充電インターフェース１０４内の電源線を介して外部に電気エネルギーを出力することができ、例えば、充電対象機器のバッテリを充電し、又は負荷モジュールに電気エネルギーを出力する。具体的には、図２に示すように、充電インターフェース１０４は、正の電源線Ｌ＋と負の電源線Ｌ−とを有し、正の電源線Ｌ＋は、充電装置１０の充電回路１０３の正の出力端＋に接続され、負の電源線Ｌ−は、充電装置１０の充電回路１０３の負の出力端−に接続され、スイッチングトランジスタ１０１は、正の電源線Ｌ＋又は負の電源線Ｌ−に直列接続される。例えば、充電装置１０が充電インターフェース１０４を介して充電対象機器に接続される場合、正の電源線Ｌ＋及び負の電源線Ｌ−は、充電対象機器のバッテリを充電するために、バッテリの正極と負極とにそれぞれ接続されることができる。
【００３７】
これにより、制御スイッチングトランジスタ１０１のオン/オフを制御することによって、正の電源線Ｌ＋又は負の電源線Ｌ−と充電回路１０３とを制御して導通又は遮断を形成することによって、充電装置１０の電気エネルギーの出力を制御することができる。
【００３８】
電源モジュール２０は、スイッチングトランジスタ１０１の制御電極に接続され、電源モジュール２０は、スイッチングトランジスタ１０１の電圧降下、すなわちスイッチングトランジスタ１０１の第１端と第２端との間の電圧が予め設定された電圧保護値より大きくなるように、スイッチングトランジスタ１０１の制御電極に電圧信号を出力するために用いられる。
【００３９】
制御モジュール１０２は、スイッチングトランジスタ１０１の第１端と第２端との間の電圧が予め設定された電圧保護値より大きい場合に充電装置１０保護状態に進入したか否かを確認して、充電装置１０の異常な電圧降下に対する保護機能をテストするために用いられる。
【００４０】
充電装置１０内には、電圧検出ユニットを有することもできることを理解されたい。制御モジュール１０２は、電圧検出ユニットを介してスイッチングトランジスタ１０１の第１端と第２端との間の電圧を検出し、充電装置１０の異常な電圧降下に対する保護機能が正常であり、スイッチングトランジスタ１０１の第１端と第２端との間の電圧が予め設定された電圧保護値より大きい場合に、充電装置１０を保護状態に入るように制御する。充電装置１０の異常な電圧降下に対する保護機能の故障又はスイッチングトランジスタ１０１の第１端と第２端との間の電圧が予め設定された電圧保護値以下である場合、充電装置１０を正常の作動状態にあるように制御する。
【００４１】
充電装置１０の異常な電圧降下に対する保護機能をテストする場合、電源モジュール２０によってスイッチングトランジスタ１０１の制御電極に電圧信号を出力し、電圧信号の電圧値を調整することによってスイッチングトランジスタ１０１の電圧降下を調整し、スイッチングトランジスタ１０１の電圧降下が予め設定された電圧保護値より大きい場合、すなわち異常な電圧降下に対するをシミュレーションする場合に、充電装置が保護状態に進入したか否かを判断することによって、充電装置が異常な電圧降下に対する保護機能を有するか否かを確認し、すなわち充電装置が保護状態に入る場合、充電装置が異常な電圧降下に対する保護機能を有するか、又は異常な電圧降下に対する保護機能が有効であるかを確認し、充電装置が保護状態に入っていない場合、充電装置が異常な電圧降下に対する保護機能を有していないか、又は異常な電圧降下に対する保護機能が無効であるかを確認する。
【００４２】
これにより、充電装置の異常な電圧降下に対する保護機能が正常であるか否かを効率的にテストすることができ、充電装置の安全性及び安定性を確保し、異常な電圧降下に対する保護機能の問題によって充電装置のアフターセールスの問題が発生することを回避し、充電装置の品質を確保する。
【００４３】
本出願のいくつかの実施例によれば、電源モジュール２０によって出力された電圧信号の電圧値は、手動で調整することができ、制御器の制御により自動的に調整することもできる。例えば、手動で調整する場合、ユーザは、電圧値又は電圧変化量を手動で入力することができ、電源モジュール２０は、ユーザが手動で入力した電圧値又は電圧変化量に基づいて、電圧信号の電圧値を調整することができ、また、自動的に調整する場合、制御器は、スイッチングトランジスタ１０１の電圧降下に基づいて電圧値又は電圧変化量を生成することができ、電源モジュール２０は、制御器によって生成された電圧値又は電圧変化量に基づいて電圧信号の電圧値を調整することができる。
【００４４】
具体的には、図３に示すように、充電装置のテストシステム１００は、スイッチングトランジスタ１０１の第１端と第２端に接続され、スイッチングトランジスタ１０１の第１端と第２端との間の電圧を測定して、スイッチングトランジスタ１０１の第１端と第２端との間の電圧が予め設定された電圧保護値に達した時に電源モジュール２０によって出力された電圧信号の電圧値を調整することを停止する電圧測定装置３０をさらに含む。電圧測定装置３０はマルチメータである。
【００４５】
手動で調整する場合、ユーザが電源モジュール２０の電圧信号の電圧値を毎回調整した後、電源モジュール２０は、ユーザの調整に基づいて対応する電圧値の電圧信号をスイッチングトランジスタ１０１の制御電極に出力することができ、次に、電圧測定装置３０を介してスイッチングトランジスタ１０１の電圧降下を測定することができ、ユーザは、電圧測定装置３０を介して測定された電圧降下を確認することができ、スイッチングトランジスタ１０１の電圧降下が予め設定された電圧保護値に達した場合、電源モジュール２０の電圧信号の電圧値の調整を停止し、スイッチングトランジスタ１０１の電圧降下が予め設定された電圧保護値に達していない場合、スイッチングトランジスタ１０１の電圧降下が予め設定された電圧保護値に達するまで、電源モジュール２０の電圧信号の電圧値を継続に調整する。
【００４６】
同様に、制御器によって自動的に調整する場合、制御器が電源モジュール２０の電圧信号の電圧値を毎回調整した後、電源モジュール２０は、対応する電圧値の電圧信号をスイッチングトランジスタ１０１の制御電極に出力することができ、次に、制御器は、電圧測定装置３０を介してスイッチングトランジスタ１０１の電圧降下を取得し、スイッチングトランジスタ１０１の電圧降下が予め設定された電圧保護値に達した場合、電源モジュール２０の電圧信号の電圧値の調整を停止し、スイッチングトランジスタ１０１の電圧降下が予め設定された電圧保護値に達していない場合、スイッチングトランジスタ１０１の電圧降下が予め設定された電圧保護値に達するまで、電源モジュール２０の電圧信号の電圧値を継続に調整する。
【００４７】
本出願の一実施例によれば、図４に示すように、充電装置１０は、負荷モジュール４０に接続されることができ、例えば、充電装置１０は、充電インターフェース１０４を介して負荷モジュール４０に接続されることができ、スイッチングトランジスタ１０１の第１端又は第２端は、充電インターフェース１０４を介して負荷モジュール４０に接続されることができる。一例として、負荷モジュール４０は定電流負荷であることができ、例えば、負荷モジュール４０が電子負荷である場合、電子負荷が置かれている回路内の電流が一定に保たれるように、電子負荷は定電流モードにある。
【００４８】
充電インターフェース１０４が負荷モジュール４０に接続されることができる場合、充電装置１０の充電回路１０３は、負荷モジュール４０と回路を構成することができ、負荷モジュール４０は定電流負荷であることができるため、回路内の電流は一定であり、すなわちスイッチングトランジスタ１０１を流れる電流は一定であることを理解されたい。これにより、負荷モジュール４０を介して固定電流を抽出することによって、電源モジュール２０の電圧信号を調整することが容易になり、電圧信号の電圧値を徐々に低下又は増加する限り、スイッチングトランジスタ１０１の電圧降下を徐々に高めることができる。
【００４９】
一例として、スイッチングトランジスタ１０１は、ＭＯＳトランジスタ又は三極管であってもよい。例えば、図５に示すように、ＭＯＳトランジスタのドレインＤは、スイッチングトランジスタ１０１の第１端であってもよく、ＭＯＳトランジスタのソースＳは、スイッチングトランジスタ１０１の第２端であってもよく、ＭＯＳトランジスタのゲートＧは、スイッチングトランジスタ１０１の制御電極であってもよい。ＭＯＳトランジスタのドレインＤは、充電装置１０の充電回路１０３に接続されることができ、ＭＯＳトランジスタのソースＳは、充電インターフェース１０４に接続されることができ、ＭＯＳトランジスタのゲートＧは、制御モジュール１０２に接続され、電流は、ＭＯＳトランジスタのドレインＤから流入して、ＭＯＳトランジスタのソースＳから流出し、電流方向は、図５の矢印方向に示されている。
【００５０】
さらに、スイッチングトランジスタ１０１は、ＮＭＯＳトランジスタ又はＮＰＮ三極管などのＮ型スイッチングトランジスタであってもよく、この時、電源モジュール２０によって出力された電圧信号の電圧値を徐々に低下することができる。ＮＭＯＳトランジスタを例として、電源モジュール２０によって出力された電圧信号の電圧値が低いほど、ＮＭＯＳトランジスタのドレインＤとソースＳとの間のインピーダンスが大きくなり、負荷モジュール４０によって固定電流を抽出するため、ＮＭＯＳトランジスタを流れる電流は一定であるため、ＮＭＯＳトランジスタのドレインＤとソースＳとの間の電圧降下も大きくなる。電源モジュール２０の電圧信号の電圧値がある電圧値より低い場合、ＮＭＯＳトランジスタの電圧降下は、予め設定された電圧保護値より大きくなることができる。
【００５１】
又は、スイッチングトランジスタ１０１は、ＰＭＯＳトランジスタ又はＰＮＰ三極管などのＰ型スイッチングトランジスタであってもよく、この時、電源モジュールによって出力された電圧信号の電圧値を徐々に高めることができる。ＰＭＯＳトランジスタを例として、電源モジュール２０によって出力された電圧信号の電圧値が高いほど、ＰＭＯＳトランジスタのドレインＤとソースＳとの間のインピーダンスが大きくなり、負荷モジュール４０によって固定電流を抽出するため、ＰＭＯＳトランジスタを流れる電流は一定であるため、ＰＭＯＳトランジスタのドレインＤとソースＳとの間の電圧降下も大きくなる。電源モジュール２０の電圧信号の電圧値がある電圧値より高い場合、ＰＭＯＳトランジスタの電圧降下は、予め設定された電圧保護値より大きくなることができる。
【００５２】
これにより、本出願の実施例では、Ｎ型スイッチングトランジスタを例として説明する。スイッチングトランジスタ１０１の制御電極における電源モジュール２０の出力電圧（すなわち電源モジュール２０によって出力された電圧信号の電圧値）を調整することによって、スイッチングトランジスタ１０１のインピーダンスを調整し、電源モジュール２０の出力電圧が低いほど、Ｎ型スイッチングトランジスタのインピーダンスが大きくなる。マルチメータを使用してスイッチングトランジスタ１０１両端の電圧降下をリアルタイムで測定し、充電装置１０は、一つの負荷モジュール４０によって固定電流を抽出して、電源モジュール２０の出力電圧を調整し、電源モジュール２０の出力電圧がある電圧値より低い、すなわちスイッチングトランジスタ１０１両端の電圧降下が予め設定された電圧保護値より大きい場合、充電装置１０が保護状態に進入したか否かを確認することによって、充電装置１０が異常な電圧降下に対する保護機能を有するか否かを確認し、これによって、充電装置の異常な電圧降下に対する保護機能が正常であるか否かをテストすることができ、充電装置の安全性及び安定性を確保し、異常な電圧降下に対する保護機能の問題によって充電装置のアフターセールスの問題が発生することを回避し、充電装置の品質を確保する。
【００５３】
一例として、図５に示すように、電源モジュール２０は、直流電源ＤＣであってもよく、直流電源ＤＣの正極は、スイッチングトランジスタ１０１の制御電極に接続され、直流電源ＤＣの負極は接地する。充電装置１０に対して異常な電圧降下に対する保護機能のテストを行う場合、充電装置１０をオンにすることができ、直流電源ＤＣの正極は、スイッチングトランジスタ１０１の制御電極に直接に接続され、直流電源ＤＣの負極は、充電装置１０の参照する地面に接続されることが理解されたい。
【００５４】
本出願の一実施例によれば、図６に示すように、充電装置のテストシステム１００は、制御モジュール１０２に接続され、制御モジュール１０２の制御により異常な電圧降下に対する保護機能のテスト結果又は充電装置１０の保護状態に対して提示する提示モジュール５０をさらに含み、これによって、ユーザが直感的にテスト結果を理解することが容易になることができる。
【００５５】
スイッチングトランジスタ１０１の電圧降下が予め設定された電圧保護値に達した場合、制御モジュール１０２は、異常な電圧降下に対する保護機能のテスト結果又は充電装置１０の保護状態に基づいて提示モジュール５０を制御して提示情報を送信することができることを理解されたい。ユーザが提示モジュール５０によって送信された提示情報は、直感的にテスト結果を理解し、充電装置が異常な電圧降下に対する保護機能を有するか否かを確認することができる。
【００５６】
例えば、電源モジュール２０の出力電圧を手動で調整することによって、スイッチングトランジスタ１０１の電圧降下が予め設定された電圧保護値に達した場合、ユーザは、提示モジュール５０が充電装置が保護状態に入る旨の提示を送信したか否かを確認することができ、提示モジュール５０が充電装置が保護状態に入る旨の提示を送信する場合、充電装置が異常な電圧降下に対する保護機能を有するか、又は異常な電圧降下に対する保護機能が有効であるかを確認し、提示モジュール５０が充電装置が保護状態に入る旨の提示を送信してない場合、充電装置が異常な電圧降下に対する保護機能を有していないか、又は異常な電圧降下に対する保護機能が無効であるかを確認する。
【００５７】
また、制御器を介して電源モジュール２０の出力電圧を自動的に調整することによって、スイッチングトランジスタ１０１の電圧降下が予め設定された電圧保護値に達した場合、制御器は、制御モジュール１０２に状態提示命令を送信することができ、制御モジュール１０２は状態提示命令を受信した後、充電装置１０の保護状態を指示するための情報を提示モジュール５０に送信することができ、提示モジュール５０は、受信された情報に基づいて提示情報を送信することができ、提示モジュール５０が充電装置が保護状態に入る旨の提示を送信する場合、充電装置が異常な電圧降下に対する保護機能を有するか、又は異常な電圧降下に対する保護機能が有効であるかを確認し、提示モジュール５０が充電装置が保護状態に入る旨の提示を送信してない場合、充電装置が異常な電圧降下に対する保護機能を有していないか、又は異常な電圧降下に対する保護機能が無効であるかを確認する。
【００５８】
一例として、提示モジュール５０は、充電装置１０と集積して設けられることができ、例えば、提示モジュール５０は、充電装置１０におけるインジケータライトであってもよい。又は、提示モジュール５０は、充電装置１０の制御モジュール１０２と通信することができ、すなわち制御モジュール１０２は、異常な電圧降下に対する保護機能のテスト結果又は充電装置１０の保護状態を指示するための情報を提示モジュール５０に送信することができ、提示モジュール５０は、受信された情報に基づいて提示情報を送信することができ、例えば、提示モジュール５０はディスプレイであってもよく、ディスプレイは、異常な電圧降下に対する保護機能のテスト結果又は充電装置１０保護状態に進入したか否かを表示することができる。
【００５９】
要約すると、本出願の実施例により提供される充電装置のテストシステムは、スイッチングトランジスタの第１端と第２端との間の電圧が予め設定された電圧保護値より大きくなるように、電源モジュールによってスイッチングトランジスタの制御電極に電圧信号を出力し、制御モジュールがスイッチングトランジスタの第１端と第２端との間の電圧が予め設定された電圧保護値より大きい場合に充電装置が保護状態に進入したか否かを確認して、充電装置の異常な電圧降下に対する保護機能をテストすることによって、充電装置の異常な電圧降下に対する保護機能が正常であるか否かを効率的にテストすることができ、充電装置の安全性及び安定性を確保し、異常な電圧降下に対する保護機能の問題によって充電装置のアフターセールスの問題が発生することを回避し、充電装置の品質を確保する。
【００６０】
上記の実施例の充電装置のテストシステムに対応して、本出願は、充電装置のテスト方法をさらに提供する。
【００６１】
図７は、本出願の実施例により提供される充電装置のテスト方法の概略フローチャートである。図７に示すように、当該充電装置のテスト方法は、以下のようなステップを含む。
ステップＳ１：スイッチングトランジスタの第１端と第２端との間の電圧が予め設定された電圧保護値より大きくなるように、電源モジュールによって充電装置内のスイッチングトランジスタの制御電極に電圧信号を出力する。
ステップＳ２：スイッチングトランジスタの第１端と第２端との間の電圧が予め設定された電圧保護値より大きい場合に、充電装置の作動状態を確認して、充電装置の異常な電圧降下に対する保護機能をテストする。
【００６２】
本出願の一実施例によれば、前記スイッチングモジュールの第１端又は第２端は、前記充電装置の充電インターフェースを介して、負荷モジュールに接続され、前記負荷モジュールは定電流負荷である。
【００６３】
本出願の一実施例によれば、前記スイッチングトランジスタは、前記電源モジュールによって出力された電圧信号の電圧値を徐々に低下させるＮ型スイッチングトランジスタである。
【００６４】
本出願の一実施例によれば、前記スイッチングトランジスタは、前記電源モジュールによって出力された電圧信号の電圧値を徐々に増加させるＰ型スイッチングトランジスタであり。
【００６５】
本出願の一実施例によれば、電圧測定装置によって前記スイッチングトランジスタの第１端と第２端との間の電圧を測定して、前記スイッチングトランジスタの第１端と第２端との間の電圧が前記予め設定された電圧保護値に達した時に、前記電源モジュールによって出力された電圧信号の電圧値を調整することを停止する。
【００６６】
本出願の一実施例によれば、前記充電装置の電圧検出ユニットによって前記スイッチングトランジスタの第１端と第２端との間の電圧を検出し、前記充電装置の異常な電圧降下に対する保護機能が正常であり、前記スイッチングトランジスタの第１端と第２端との間の電圧が前記予め設定された電圧保護値より大きい場合、前記充電装置を保護状態に入るように制御する。
【００６７】
本出願の一実施例によれば、前記の充電装置のテスト方法は、提示モジュールによって前記異常な電圧降下に対する保護機能のテスト結果又は前記充電装置の保護状態に対して提示するステップをさらに含む。
【００６８】
なお、上記の充電装置のテストシステムの実施例の説明は、当該実施例の充電装置のテスト方法にも適用されており、ここでは詳細に説明しない。
【００６９】
要約すると、本出願の実施例により提供される充電装置のテスト方法は、スイッチングトランジスタの第１端と第２端との間の電圧が予め設定された電圧保護値より大きくなるように、電源モジュールによってスイッチングトランジスタの制御電極に電圧信号を出力し、次に、スイッチングトランジスタの第１端と第２端との間の電圧が予め設定された電圧保護値より大きい場合に、充電装置が保護状態に進入したか否かを確認して、充電装置の異常な電圧降下に対する保護機能をテストすることによって、充電装置の異常な電圧降下に対する保護機能が正常であるか否かを効率的にテストすることができ、充電装置の安全性及び安定性を確保し、異常な電圧降下に対する保護機能の問題によって充電装置のアフターセールスの問題が発生することを回避し、充電装置の品質を確保する。
【００７０】
当業者は、以下のことを意識することができる。本出願に開示されている実施例に合わせて説明された各例のユニット及アルゴリズムステップは、電子ハードウェア、またはコンピュータソフトウェアと電子ハードウェアとの結合によって実現することができる。これらの機能が一体ハードウェア、それともソフトウェアの方式によって実行されるのかは、技術案の特定応用及び設計拘束条件によるものである。当業者は、各特定の応用に対して、説明された機能を異なる方法で実現することができ、このような実現は、本発明の範囲を超えたと考えてはいけない。
【００７１】
説明上の便利と簡潔で、上記説明されたシステム、装置及びユニットの具体的な作業プロセスは、前述の方法実施例における対応する過程を参照することができるため、ここで説明を省略する。これは当業者に明白に理解されるべきである。
【００７２】
本出願によって提供されるいくつかの実施例において、開示されているシステムと、装置と、方法とは、他の方式によって実現することができる。例えば、上記装置の実施例は、概略的なものだけである。例えば、前記ユニットの区分は、ロジック機能の区分だけである。実際に実現する時に、他の区分方式を有することができる。例えば、複数のユニットまたはコンポーネントは、結合することができる、または他のシステムに集積することができ、または一部の特徴を無視することができ、または実行しないことができる。一方、示されたまたは論議された相互間の結合または直接結合または通信接続は、一部のインターフェイスを介して、装置またはユニットの間接結合または通信接続であってもよく、電気的、機械的または他の形式であってもよい。
【００７３】
分離部品として説明された前記ユニットは、物理上に分離していてもよいし、物理上に分離していなくてもよい。ユニットとして示された部品は、物理的なユニットであってもよいし、物理的なユニットでなくてもよい。即ち、一つの場所にあってもよいし、または複数のネットワークユニットに分布されてもよい。必要に応じて、そのうちの一部または全部のユニットを選択して本実施例の技術案の目的を実現することができる。
【００７４】
また、本発明の各実施例においての各機能ユニットは、一つの処理ユニットに集められてもよいが、各ユニットが独立な物理存在であってもよく、二つ以におけるユニットが一つのユニットに集めてもよい。
【００７５】
前記機能はソフトウェア機能ユニットの形で実現され独立な商品として販売又は使用される際、一つのコンピュータ読取可能媒体中に記憶されることはできる。このような理解に基づいて、本発明の技術案は本質上、又は従来技術に貢献する部分又は当該技術案の部分がソフトウェア商品の形で現れることができ、当該コンピュータ・ソフトウェア商品が一つの記憶媒体に記憶され、若干の命令を含むことで一台のコンピュータ装置（パーソナル・コンピュータや、サーバー、又はネット装置等）に本発明の各実施例の前記方法の全部又は一部のステップを実行させる。前記の記憶媒体は、Ｕディスクと、リムーバブルハードディスクと、読み出し専用メモリ（ＲＯＭ，Ｒｅａｄ−Ｏｎｌｙ Ｍｅｍｏｒｙ）と、ランダムアクセスメモリ（ＲＡＭ，Ｒａｎｄｏｍ Ａｃｃｅｓｓ Ｍｅｍｏｒｙ）と、ディスクまたはＣＤ等様々なプログラムコードを記憶できる媒体を含む。
【００７６】
以上の記載は、本発明の実施形態に過ぎなく、本発明の保護範囲はこれに限定されない。当分野に詳しい全ての当業者が本発明に開示された技術範囲内で容易に想到する変化または取り替えは、本発明の保護範囲に含まれるべきである。従って、本発明の保護範囲はその特許請求の範囲に準ずるべきである。
【手続補正２】
【補正対象書類名】特許請求の範囲
【補正対象項目名】全文
【補正方法】変更
【補正の内容】
【特許請求の範囲】
【請求項１】
充電装置のテストシステムであって、
スイッチングトランジスタと制御モジュールとを有する充電装置と、
前記スイッチングトランジスタの制御電極に接続され、前記スイッチングトランジスタの第１端と第２端との間の電圧が予め設定された電圧保護値より大きくなるように、前記スイッチングトランジスタの制御電極に電圧信号を出力する電源モジュールと、を含み、
前記制御モジュールは、前記スイッチングトランジスタの第１端と第２端との間の電圧が予め設定された電圧保護値より大きい場合に、前記充電装置が保護状態に進入したか否かを確認して、前記充電装置の異常な電圧降下に対する保護機能をテストする、
ことを特徴とする充電装置のテストシステム。
【請求項２】
前記充電装置は、さらに、充電インターフェースを有し、前記充電インターフェースは、負荷モジュールに接続され、前記スイッチングトランジスタの第１端又は第２端は、前記充電インターフェースを介して前記負荷モジュールに接続される、
ことを特徴とする請求項１に記載の充電装置のテストシステム。
【請求項３】
前記負荷モジュールは定電流で充電される、
ことを特徴とする請求項２に記載の充電装置のテストシステム。
【請求項４】
前記スイッチングトランジスタは、前記電源モジュールによって出力された電圧信号の電圧値を徐々に低下させるＮ型スイッチングトランジスタである、
ことを特徴とする請求項１に記載の充電装置のテストシステム。
【請求項５】
前記スイッチングトランジスタは、前記電源モジュールによって出力された電圧信号の電圧値を徐々に増加させるＰ型スイッチングトランジスタである、
ことを特徴とする請求項１に記載の充電装置のテストシステム。
【請求項６】
前記スイッチングトランジスタはＭＯＳトランジスタ又は三極管である、
ことを特徴とする請求項１に記載の充電装置のテストシステム。
【請求項７】
前記充電装置のテストシステムは、
前記スイッチングトランジスタの第１端と第２端とに接続され、前記スイッチングトランジスタの第１端と第２端との間の電圧を測定して、前記スイッチングトランジスタの第１端と第２端との間の電圧が前記予め設定された電圧保護値に達した時に、前記電源モジュールによって出力された電圧信号の電圧値を調整することを停止する電圧測定装置をさらに含む、
ことを特徴とする請求項１に記載の充電装置のテストシステム。
【請求項８】
前記制御モジュールは、電圧検出ユニットによって前記スイッチングトランジスタの第１端と第２端との間の電圧を検出し、前記充電装置の異常な電圧降下に対する保護機能が正常であり、且つ前記スイッチングトランジスタの第１端と第２端との間の電圧が前記予め設定された電圧保護値より大きい場合、前記充電装置を保護状態に入るように制御する、
ことを特徴とする請求項１に記載の充電装置のテストシステム。
【請求項９】
前記電源モジュールは直流電源であり、
前記直流電源は、正極が前記スイッチングトランジスタの制御電極に接続され、負極が接地される、
ことを特徴とする請求項１に記載の充電装置のテストシステム。
【請求項１０】
前記充電インターフェースは、正の電源線と負の電源線とを有し、前記正の電源線は、前記充電装置の充電回路の正の出力端に接続され、前記負の電源線は、前記充電装置の充電回路の負の出力端に接続され、前記スイッチングトランジスタは、前記正の電源線又は前記負の電源線に直列接続される、
ことを特徴とする請求項１に記載の充電装置のテストシステム。
【請求項１１】
前記充電装置のテストシステムは、
前記制御モジュールに接続され、前記制御モジュールの制御により前記異常な電圧降下に対する保護機能のテスト結果又は前記充電装置の保護状態に対して提示する提示モジュールをさらに含む、
ことを特徴とする請求項１に記載の充電装置のテストシステム。
【請求項１２】
充電装置のテスト方法であって、
スイッチングトランジスタの第１端と第２端との間の電圧が予め設定された電圧保護値より大きくなるように、電源モジュールによって前記充電装置内の前記スイッチングトランジスタの制御電極に電圧信号を出力するステップと、
前記スイッチングトランジスタの第１端と第２端との間の電圧が予め設定された電圧保護値より大きい場合に、前記充電装置の作動状態を確認して、前記充電装置の異常な電圧降下に対する保護機能をテストするステップと、を含む、
ことを特徴とする充電装置のテスト方法。
【請求項１３】
前記スイッチングトランジスタは、前記電源モジュールによって出力された電圧信号の電圧値を徐々に低下させるＮ型スイッチングトランジスタである、
ことを特徴とする請求項１２に記載の充電装置のテスト方法。
【請求項１４】
前記スイッチングトランジスタは、前記電源モジュールによって出力された電圧信号の電圧値を徐々に増加させるＰ型スイッチングトランジスタである、
ことを特徴とする請求項１２に記載の充電装置のテスト方法。
【請求項１５】
前記スイッチングトランジスタの第１端と第２端との間の電圧を測定し、前記充電装置の異常な電圧降下に対する保護機能が正常であり、且つ前記スイッチングトランジスタの第１端と第２端との間の電圧が前記予め設定された電圧保護値より大きい場合、前記充電装置を保護状態に入るように制御するステップと、を更に含む、
ことを特徴とする請求項１２に記載の充電装置のテスト方法。
【国際調査報告】
2021502043.tif 000010
2021502043.tif 000011
2021502043.tif 000012
2021502043.tif 000013
2021502043.tif 000014